(57)【特許請求の範囲】
【請求項１】
固定箸と可動箸と両箸の後方寄りに設けられた連結体と該連結体より前方に設けられた矯正用指当て具を有する練習用箸であって、前記矯正用指当て具は、前記可動箸に対して着脱可能であり、前記可動箸は、前記連結体を介して前記固定箸に対して揺動可能であり、
前記矯正用指当て具は、前記可動箸の装着孔と人差し指の支持凹部と中指の支持凹部とを有する合成樹脂製であり、前記可動箸の装着孔は長手方向に全長に亘って開放部を有し、
人差し指の支持凹部と中指の支持凹部とが、可動箸の装着孔の上方に位置し、更に人差し指の支持凹部と中指の支持凹部とは、隔壁を挟んで反対方向に向いており、
前記連結体は、前記固定箸及び前記可動箸の厚みより薄い平板状をしており、前記固定箸は前記連結体に固定され、前記可動箸は揺動ピンにより前記連結体に揺動自在に連結されていることを特徴とする練習用箸。
【請求項２】
前記固定箸と前記可動箸は、前記連結体より先端に向かって細くなるようにテーパになっていることを特徴とする請求項１に記載の練習用箸。
【請求項３】
固定箸には、薬指をあてがうくぼみと親指の付け根をあてがうくぼみが設けられていることを特徴とする請求項１に記載の練習用箸。
【発明の詳細な説明】
【技術分野】
【０００１】
本発明は、構造が簡単な矯正用指当て具を有する練習用箸練習用箸に関する。
【背景技術】
【０００２】
従来、主に子供や外人などの箸が正しく使用できない人のために、箸の正しい操作、特に正しい箸の持ち方を練習するための練習用箸が提案されている（特許文献１参照）。
【０００３】
この特許文献１に開示の練習用箸は、箸の正しい操作、特に正しい箸の持ち方を練習するための練習用箸に関するものであり、その概略は、以下のような構造である。
【０００４】
すなわち、親指を挿入する親指挿入穴と固形物を摘み取る第１パッドとを有する第１箸部材であって、第１箸部材の上部に親指挿入穴を形成し、第１箸部材の下部に第１パッドを形成した第１箸部材と、人差し指および中指を挿入する保持ユニットと、保持ユニットの固定位置を調節する調節手段と、固形物を摘み取る第２パッドとを有する第２箸部材であって、この保持ユニットが人差し指を挿入する人差し指挿入穴と中指を挿入する中指挿入穴とを有し、第２パッドを第２箸部材の下部に形成した第２箸部材と、第１箸部材および第２箸部材の上部に形成され、第１箸部材および第２箸部材を所定の間隔で結合する結合手段とを有する、知的能力を発達させる練習用箸である。
【先行技術文献】
【特許文献】
【０００５】
【特許文献１】特許第３７６６８３１号公報
【発明の概要】
【発明が解決しようとする課題】
【０００６】
しかしながら、上述した特許文献１に記載の練習用箸は、第１箸部材の上部に親指挿入穴が形成され、第２箸部材には、人差し指を挿入する人差し指挿入穴と中指を挿入する中指挿入穴とを有する保持ユニットが形成されているので、練習箸の構造としては必ずしも簡単ではない。
またその製造においても金型が複雑となる。
【０００７】
ところで、箸の正しい使い方は、下の箸を薬指の先端と親指・人指し指の付け根においてしっかり固定し、上の箸を親指・人指し指・中指の３本で動かすことであるといわれる。
そして食べ物を挟んだり,放したりするときは、上の箸だけを動かすことになる。
箸を正しく使うためには、正しい持ち方を習得することが前提である。
従って、正しく箸を持つためには、まず、二本の箸の間隔を保持する癖を身に着けることが大事である。
【０００８】
本発明は、上記事情に鑑みてなされたものであり、通常の箸を使用するような感覚で使用しているうちに、正しい箸の持ち方、さらには正しい操作を自然に身につけられるようにする練習用箸を提供することを課題とする。
また、製造が容易で、使用者の取り扱いも簡単で、構造も簡単な練習用箸を提供することを課題とする。
【課題を解決するための手段】
【０００９】
本発明者は、上記課題を解決するため鋭意検討したところ、意外にも、矯正用指当て具を可動箸に着脱可能に取り付けることにより、上記課題を解決し得ることを見出し、本発明を完成するに到った。
【００１０】
本発明は、（１）、固定箸と可動箸と両箸の後方寄りに設けられた連結体と該連結体より前方に設けられた矯正用指当て具を有する練習用箸であって、前記矯正用指当て具は、前記可動箸に対して着脱可能であり、前記可動箸は、前記連結体を介して前記固定箸に対して揺動可能であり、前記矯正用指当て具は、前記可動箸の装着孔と人差し指の支持凹部と中指の支持凹部とを有する合成樹脂製であり、前記可動箸の装着孔は長手方向に全長に亘って開放部を有し、人差し指の支持凹部と中指の支持凹部とが、可動箸の装着孔の上方に位置し、更に人差し指の支持凹部と中指の支持凹部とは、隔壁を挟んで反対方向に向いており、
前記連結体は、前記固定箸及び前記可動箸の厚みより薄い平板状をしており、前記固定箸は前記連結体に固定され、前記可動箸は揺動ピン（揺動支点）により前記連結体に揺動自在に連結されていることを特徴とする練習用箸に存する。
ここで、前記固定箸とは、薬指の先端と親指・人差し指の付け根において固定される下の箸をいい、前記可動箸とは、中指と人差し指の間に置かれ、親指で支えられる上の箸をいう。
【００１１】
本発明は、（２）、前記固定箸と前記可動箸は、前記連結体より先端に向かって細くなるようにテーパになっている上記（１）に記載の練習用箸に存する。
【００１２】
本発明は、（３）前記固定箸には、薬指Ｄをあてがうためのくぼみと親指Ａの付け根をあてがうためのくぼみが設けられている上記（１）に記載の練習用箸に存する。
【発明の効果】
【００１３】
本発明に係る練習用箸によれば、次のような効果を有する。
【００１４】
前記矯正用指当て具は、前記可動箸にのみに着脱可能に取り付けられるので、前記矯正用指当て具を有する練習用箸は、構造が簡単である。
【００１５】
前記矯正用指当て具は、前記可動箸に対して着脱可能であり、前記可動箸は、前記連結体を介して前記固定箸に対して揺動可能である。
【００１６】
前記矯正用指当て具は、前記可動箸の装着孔と人差し指の支持凹部と中指の支持凹部とを有する合成樹脂製であり、前記可動箸の装着孔は長手方向に全長に亘って開放部を有するので、前記可動箸の装着孔に前記可動箸を容易に弾性的に装着することができる。
【００１７】
前記連結体は、前記固定箸及び前記可動箸の厚みより薄い平板状をしており、前記固定箸は前記連結体に固定され、前記可動箸は揺動ピン（揺動支点）により前記連結体に揺動自在に連結されているので、前記可動箸のみを簡単に動かすことできる。
【００１８】
固定箸には、薬指Ｄをあてがうためのくぼみ１１ｃと親指Ａの付け根をあてがうためのくぼみ１１ｂが設けられているので、薬指Ｄや親指Ａの位置が固定されるので、指を動かして行う揺動操作が的確となる。
なお、図７、図８においては、親指Ａ、人差し指Ｂ、中指Ｃ、薬指Ｄ、小指Ｅは、一点鎖線で示している。
【００１９】
前記固定箸と前記可動箸は、前記連結体より先端に向かって細くなるようにテーパになっているので、前記可動箸の装着孔に前記可動箸を容易に挿入することができる。
【図面の簡単な説明】
【００２０】
【図１】図１は、本発明の実施形態に係る矯正用指当て具を有する練習用箸の要部の斜視図である。
【図２】図２は、本発明の実施形態に係る矯正用指当て具を取り外した練習用箸の全体正面図である。  図２は（Ａ）は、可動箸１２を閉じた状態、また図２（Ｂ）は、可動箸１２を開いた状態を示す。
【図３】図３は、図２に示す可動箸と固定箸の一部分を示すもので、図３（Ａ）は、図２（Ａ）における可動箸をＸ方向から見た部分を示す可動箸の部分図で、図３（Ｂ）は、図２（Ａ）における固定箸をＹ方向から見た部分を示す固定箸の部分図である。
【図４】図４は、本発明の実施形態に係る矯正用指当て具の全体正面図である。
【図５】図５は、本発明の実施形態に係る矯正用指当て具の右側面図である。
【図６】図６は、可動箸に対する矯正用指当て具の装着方法を説明する図である。
【図７】図７は、本発明の実施形態に係る矯正用指当て具を有する練習用箸を右手で握った使用状態を示す要部の正面図である。
【図８】図８は、本発明の実施形態に係る矯正用指当て具を有する練習用箸を右手で握った使用状態を示す要部の上面図である。
【発明を実施するための形態】
【００２１】
本発明の実施形態に係る矯正用指当て具１４を有する練習用箸１０について、以下に図面を参照して説明する。
【００２２】
図１は、本発明の実施形態に係る矯正用指当て具１４を有する練習用箸１０の要部の斜視図である。
図１に示すように、本発明の実施形態に係る矯正用指当て具１４を有する練習用箸１０は、固定箸１１と、可動箸１２と、連結体１３と、矯正用指当て具１４とを有している。
【００２３】
図２は、本発明の実施形態に係る矯正用指当て具１４を取り外した練習用箸１０の全体正面図であり、  図２（Ａ）は、可動箸１２を閉じた状態、また  図２（Ｂ）は、可動箸１２を開いた状態を示す。
【００２４】
図３は、図２の（Ａ）及び（Ｂ）に示す可動箸及び固定箸の一部分を示すもので、図３（Ａ）は図２（Ａ）における可動箸をＸ方向から見た部分を示す可動箸の部分図で、図３（Ｂ）は図２（Ａ）における固定箸をＹ方向から見た部分を示す固定箸の部分図である。
【００２５】
そして、図２の（Ａ）及び（Ｂ）に示すように、固定箸１１と可動箸１２は連結体１３より先端に向かって細くなるようにテーパになっている。
また、固定箸１１は固定ピン１３ａにより連結体１３に固定され、可動箸１２は揺動ピン１３ｂ（揺動支点）により揺動自在に連結されている。
このように固定箸１１に対して回動箸１２が揺動することができる。
固定箸１１には、固定ピン１３ａから一定距離、箸先側に離れた位置に、くぼみ１１ｃが形成されており、また同様に箸頭側に、くぼみ１１ｃが形成されている。
【００２６】
さらに詳しくは、図３（Ａ）、図３（Ｂ）に示すように、連結体１３は固定箸１１及び可動箸１２の厚みより薄い平板状をしており、固定箸１１は固定ピン１３ａにより連結体１３に固定され、可動箸１２は揺動ピン１３ｂ（揺動支点）により連結体１３に揺動自在に連結されている。
そして、固定箸１１の嵌め合い孔１１ａの端部に連結体１３は当接した状態となっている。
そのため固定箸１１に対して連結体１３が堅く嵌り込み両者は相互に動かない。
可動箸１２の嵌め合い孔１２ａに対して、その端部に連結体１３は当接していない。
そのため可動箸１２が揺動しても連結体１３が支障とならない。
【００２７】
一方、矯正用指当て具１４は合成樹脂製（例えば、シリコンゴム）であり、可動箸１２を装着する装着孔１４ａを有する基部１４０と該基部１４０から外方に延出した（すなわち装着孔１４Ａａの中心線から略垂直方向に延びた）延出部１４１を有する。
図４は、本発明の実施形態に係る矯正用指当て具の全体正面図であり、図５は、本発明の実施形態に係る矯正用指当て具の右側面図である。
【００２８】
矯正用指当て具１４の装着孔１４ａは長手方向に全長に亘って開放部Ｋを有しており、したがって、可動箸１２を矯正用指当て具１４Ａａの装着孔１４ａに装着するときに、この装着孔１４ａは弾性的に拡張され、可動箸１２に矯正用指当て具１４は、しっかりと装着することができる。
可動箸１２に装着する場合は、２つの装着方法がある。
図６は、可動箸１２に対する矯正用指当て具１４の装着方法を説明する図である。
一つは、可動箸の先端から長手方向に押し入れる方法であり、他の一つは、可動箸に対して横方向から押し入れる方法である。
何れの場合も、矯正用指当て具１４の装着孔１４ａが拡張するため可動箸１２に弾圧的に装着されることとなる。
【００２９】
図１、図４、図５に示すように、矯正用指当て具１４は、人差し指の支持凹部１４ｂと中指の支持凹部１４ｃとが可動箸１２の装着孔１４ａの上方に位置し、さらに、人差し指の支持凹部１４ｂと中指の支持凹部１４ｃとは隔壁１４ｄを挟んで反対方向に向いて構成されている。
【００３０】
次に、図７、図８を用いて、本発明の実施形態に係る矯正用指当て具１４を有する練習用箸１０を右手で握った使用状態について説明する。
【００３１】
図７は、本発明の実施形態に係る矯正用指当て具を有する練習用箸を右手で握った使用状態を示す要部の正面図である。
【００３２】
図８は、本発明の実施形態に係る矯正用指当て具を有する練習用箸を右手で握った使用状態を示す要部の上面図である。
【００３３】
図７、図８に示すように、親指Ａの指先を矯正用指当て具１４の右側に当接し、人差し指Ｂを人差し指の支持凹部１４ｂにあてがい、中指Ｃを中指の支持凹部１４ｃにあてがい、延出部１４１の隔壁１４ｄを人差し指Ｂと中指Ｃで挟むようにする。
一方、薬指Ｄの内側と親指Ａの付け根で固定箸１１を支持するように、練習用箸１０を右手で握る。
ここで、薬指Ｄを固定箸１１のくぼみ１１ｃにあてがい、親指Ａの付け根（すなわち親指Ａと人差し指Ｂとの間の部分）をくぼみ１１ｂにあてがう。
これにより薬指Ｄや親指Ａが固定箸１１に固定されるので、後述する揺動操作が的確に行われる。
なお、図７、図８においては、親指Ａ、人差し指Ｂ、中指Ｃ、薬指Ｄ、小指Ｅは、一点鎖線で示している。
【００３４】
そして、可動箸１２と固定箸１１の先端同士を広げるには、人差し指Ｂと中指Ｃとを、それぞれ、人差し指の支持凹部１４ｂと中指の支持凹部１４ｃの上方に当接させ、上方に少し持ち上げると、可動箸１２は揺動ピン１３ｂ（揺動支点）により揺動し、可動箸１２と固定箸１１の先端同士は広がる。   
【００３５】
また、可動箸１２と固定箸１１の先端同士を近づけるには、人差し指Ｂと中指Ｃとを、それぞれ、人差し指Ｂの支持凹部１４ｂと中指Ｃの支持凹部１４ｃの下方に当接させ、下方に少し押し下げると、可動箸１２は揺動ピン１３ｂ（揺動支点）により揺動し、可動箸１２と固定箸１１の先端同士は近づく。
【００３６】
このようにして、可動箸１２は、連結体１３を介して固定箸１１に対して揺動させることができ、これに慣れることにより、可動箸１２のみを正しく動かすことができる。
【００３７】
本発明の実施形態に係る矯正用指当て具１４を有する練習用箸１０によれば、前述したように、多くの優れた効果を有する。
【００３８】
矯正用指当て具１４は、可動箸１２にのみに着脱可能に取り付けられるので、矯正用指当て具１４を有する練習用箸１０は、構造が簡単である。
【００３９】
矯正用指当て具１４は、可動箸１２に対して着脱可能であり、可動箸１２は、連結体１３を介して固定箸１１に対して揺動可能である。
【００４０】
矯正用指当て具１４は、装着孔１４ａと人差し指Ｂの支持凹部１４ｂと中指Ｃの支持凹部１４ｃとを有する合成樹脂製であり、装着孔１４ａは長手方向に全長に亘って開放部Ｋを有するので、可動箸１２を装着孔１４ａに可動箸１２を容易に弾性的に装着することができる。
矯正用指当て具１４は、合成樹脂製であることから、なおさらのこと容易に装着できる。
【００４１】
連結体１３は、固定箸１１及び可動箸１２の厚みより薄い平板状をしており、固定箸１１は固定ピン１３ａにより連結体１３に固定され、可動箸１２は揺動ピン１３ｂ（揺動支点）により連結体１３に揺動自在に連結されているので、可動箸１２のみを動かすことできる。
【００４２】
固定箸１１と可動箸は１２、連結体１３より先端に向かって細くなるようにテーパになっているので、矯正用指当て具１４の装着孔１４ａに可動箸１２を容易に挿入することができる。
【００４３】
固定箸には、薬指Ｄをあてがうためのくぼみ１１ｃと親指Ａの付け根をあてがうためのくぼみ１１ｂが設けられているので、薬指Ｄや親指Ａの位置が固定されるので、指を動かして行う揺動操作が的確となる。
以上、本発明を説明してきたが、本発明は、上述した実施の形態に限定されることなく変形例が可能である。
【００４４】
また、人指し指の指示凹部１４ｂと中指ｃの支持凹部１４ｃに滑り止めのための細かい凹凸部を設けることも可能である。
例えば、連結体１３と固定箸１１の固定は、固定ピン１３Ａａ以外の固定手段を使うことも可能である。
また、固定箸１１や可動箸１２の断面形状は、円箸以外に多角箸等にも変更可能であり、同じ箸でも長さ方向に形状が異なるものも採用可能である。
【産業上の利用可能性】
【００４５】
本発明の練習用箸は、固定箸と可動箸と連結体と矯正用指当て具を有するもので、矯正用指当て具は、可動箸に対して着脱可能で、また、可動箸は連結体を介して固定箸に対して揺動可能であるので、構造が簡単でしかも指使いの矯正が容易に行える。
可動箸が揺動するものであれば、種々の箸に適用可能である。
【符号の説明】
【００４６】
１０…矯正用指当て具を有する練習用箸
１１…固定箸
１１ａ…固定箸側の連結体の嵌め合い孔
１１ｂ…親指の付け根が接触する部分の固定箸のくぼみ
１１ｃ…薬指の先端近傍が接触する部分の固定箸のくぼみ
１２…可動箸
１２ａ…可動箸側の連結体の嵌め合い孔
１３…連結体
１３ａ…固定ピン
１３ｂ…揺動ピン（揺動支点）
１４…矯正用指当て具
１４０…基部
１４１…延出部
１４a…矯正用指当て具の装着孔
１４ｂ…人差し指の支持凹部
１４ｃ…中指の支持凹部
１４ｄ…隔壁
Ａ…親指
Ｂ…人差し指
Ｃ…中指
Ｄ…薬指
Ｅ…小指
Ｋ…開放部
【図１】
0006366159.tif 000002
【図２】
0006366159.tif 000003
【図３】
0006366159.tif 000004
【図４】
0006366159.tif 000005
【図５】
0006366159.tif 000006
【図６】
0006366159.tif 000007
【図７】
0006366159.tif 000008
【図８】
0006366159.tif 000009